(57)【要約】【課題】本発明は、被固定物の大型化を抑制するとともに、固定作業の効率を向上することができる固定構造を提供する。【解決手段】固定構造１００は、引戸１０の溝１１に第１，２のアシスト装置３０，８０を固定する。固定構造１００は、第１，２のアシスト装置３０，８０の挿入部９０を保持する保持部７７を有するブラケット７０と、ブラケット７０を溝１１に固定するねじ７４と、第１，２のアシスト装置３０，８０の第１，２のハウジング３４ａ，３４ｂを溝１１に固定するねじ６２，８４とを備える。【選択図】図２
2013249642.tif 000002
【特許請求の範囲】
【請求項１】
支持物に被固定物を固定する固定構造であって、
前記被固定物の一部を保持する保持部を有する保持部材と、
前記保持部材を前記支持物に固定する第１の固定手段と、
前記被固定物において前記保持部材に保持されない部分を前記支持物に固定する第２の固定手段と
を具備することを特徴とする固定構造。
【請求項２】
前記保持部材は、前記被固定物を所定の一方向に沿って挿入可能であるとともに前記保持部に連通する挿入口を具備し、
前記挿入口は、前記保持部材が前記第１の固定手段によって前記支持物に固定された状態において、前記挿入口に前記被固定物が挿入されたときの前記被固定物の姿勢が前記支持物に対して前記前記被固定物が固定された姿勢となる位置に形成される
ことを特徴とする請求項１に記載の固定構造。
【請求項３】
前記保持部は、前記被固定物を内側に収容する周壁部と、前記周壁部に形成されて前記被固定物の前記挿入口への挿入方向に一端から他端まで延びて内側と外側とを連通する溝と、前記保持部内から前記溝に向かって前記被固定物が移動する際に前記被固定物に接触して前記溝から前記被固定物が出ることを防止する当接部と
を具備する
ことを特徴とする請求項２に記載の固定構造。
【請求項４】
前記被固定物は、前記溝に嵌る突部を具備する
ことを特徴とする請求項３に記載の固定構造。
【請求項５】
前記挿入口は、前記保持部材において前記挿入方向両端部に形成される
ことを特徴とする請求項２〜４のうちのいずれか１項に記載の固定構造。
【請求項６】
前記支持物は、戸枠に対してスライド可能であるとともに、前記スライド方向に延びる溝を有する引戸であり、
前記被固定物は、前記溝内に収容されて前記引戸のスライドをアシストするアシスト装置である
ことを特徴とする請求項1〜５のうちのいずれか１項に記載の固定構造。
【請求項７】
前記第１の固定手段は、ねじである
ことを特徴とする請求項１〜６のうちのいずれか１項に記載の固定構造。
【発明の詳細な説明】
【技術分野】
【０００１】
本発明は、例えば、引戸の開閉をアシストするアシスト装置などの被固定物を引戸などの支持物に固定する固定構造に関する。
【背景技術】
【０００２】
引戸の動作を補助するため、付勢機構と制動機構とを有して、戸枠に対する引戸の強制移動及び緩衝をするアシスト装置が知られている。アシスト装置は、ハウジングを有しており、上記の付勢機構と制動機構とが、ハウジング内に収容されている。この種のアシスト装置のハウジングは、引戸に形成されるスライド方向に沿う溝内に収容されるため、上記付勢機構と制動機構とを収容する大きさを確保するためにスライド方向に長い形状になる。このため、ハウジングを溝内に安定して固定するために、ハウジングの長手方向両端部がねじで引戸に固定されている（例えば、特許文献１参照。）。
【０００３】
しかしながら、上記のように、ハウジングの両端部をねじで引戸に固定する技術では、ハウジングの両端部にねじが貫通する貫通孔を形成する必要がある。このため、ハウジングの両端部には、ねじが通る貫通孔を形成するスペースを確保する必要がある。上記のように、ハウジングには付勢機構と制動機構とが収容されるため、ねじが通る貫通孔を形成するスペースを確保するために、ハウジングを長手方向に大きくする必要がある。ハウジングが長手方向に大きくなると、引戸に対してアシスト装置が大きくなってしまい、アシスト装置を引戸に固定することができなくなるおそれがある。
【０００４】
一方、引戸に戸車を固定する固定構造として、引戸に取付枠体を固定し、この取付枠体に戸車の車輪を保持する保持ユニットを収容する固定構造がある。この種の技術では、取付枠体の両端開口のうち一方を通して戸車が取付枠体内に収容された後、両端開口がカバーによって塞がれている（例えば、特許文献２参照。）。
【先行技術文献】
【特許文献】
【０００５】
【特許文献１】特許第４６９０８４６号公報
【特許文献２】特許第２９８１４７３号公報
【発明の概要】
【発明が解決しようとする課題】
【０００６】
上記した、ハウジングをねじで引戸に固定する固定構造のように、ねじのみを用いて被固定物を支持物に固定する固定構造には、次の問題がある。すなわち、被固定物にねじが通る貫通孔を形成するスペースを確保する必要があり、被固定物が大きくなってしまう。アシスト装置のハウジングを引戸に固定する固定構造に利用すると、ハウジングが大きくなり、アシスト装置を引戸内におさまらなくなるおそれがある。
【０００７】
また、上記した、戸車の固定構造のように、取付枠体を用いる固定構造には、次の問題がある。すなわち、取付枠体の両端開口をカバーで覆うため、部品点数が多くなるので、作業効率が悪くなってしまう。
【０００８】
そこで本発明は、被固定物の大型化を抑制するとともに、固定作業の効率を向上することができる固定構造を提供することを目的とする。
【課題を解決するための手段】
【０００９】
本発明の固定構造は、支持物に被固定物を固定する固定構造である。前記固定構造は、前記被固定物の一部を保持する保持部材と、前記保持部材を前記支持物に固定する第１の固定手段と、前記被固定物において前記保持部材に保持されない部分を前記支持物に固定する第２の固定手段とを備える。
【発明の効果】
【００１０】
本発明によれば、被固定物の大型化を抑制するとともに、固定作業の効率を向上することができる。
【図面の簡単な説明】
【００１１】
【図１】本発明の一実施形態に係る固定構造を備える引戸と戸枠とを示す正面図。
【図２】同引戸の上端部を、一部省略するとともに分解して示す斜視図。
【図３】同引戸の溝内に収容される第１のアシスト装置と、第１のアシスト装置側に配置されるストライカとを、一部切り欠いて示す側面図。
【図４】図１に示す範囲Ｆ４を拡大して示す拡大図。
【図５】同第１のアシスト装置の挿入部とブラケットとを拡大して示す斜視図。
【図６】図４に示すＦ６−Ｆ６線に沿って示す同ブラケットとその近傍を示す断面図。
【図７】同第１のアシスト装置と第２のアシスト装置の固定作業を示す説明図。
【図８】同第１，２のアシスト装置の固定作業を示す説明図。
【図９】同第１，２のアシスト装置の固定作業を示す説明図。
【発明を実施するための形態】
【００１２】
本発明の一実施形態に係る固定構造を、図１〜９を用いて説明する。図１は、本実施形態の固定構造１００を備える、引戸１０と戸枠２０とを示す正面図である。図１は、戸枠２０に、引戸１０がスライド可能に取り付けられている状態を示している。
【００１３】
図１に示すように、戸枠２０は、上枠２１と、左枠２２と、右枠２３とを備えている。上枠２１は、上下方向Ｖに垂直な水平方向Ｈに沿って延びている。左枠２２は、上枠２１において図中左端に連結されており、上下方向Ｖに延びている。右枠２３は、上枠２１において図中右端に連結されており、上下方向Ｖに延びている。上枠２１には、引戸溝２４が形成されている。引戸溝２４は、上枠２１の延びる方向つまり水平方向Ｈに延びている。上枠２１と、左右枠２２，２３の上端部とは、切り欠かれた状態を示している。後述される引戸１０は、引戸溝２４に沿ってスライドする。
【００１４】
引戸１０は、板形状である。引戸１０の上端部には、後述される第１，２のアシスト装置３０，８０を収容する溝１１が形成されている。溝１１は、水平方向Ｈに沿って延びている。図２は、引戸１０の上端部を、分解するとともに一部省略して示す斜視図である。図２に示すように、溝１１は、引戸１０の上端部の一端から他端まで延びている。また、溝１１の延びる方向両端は、溝１１の延びる方向つまり水平方向Ｈに開口している。
【００１５】
図１に示すように、戸枠２０の上枠２１の引戸溝２４には、水平方向Ｈに一対のストライカ２５が互いに離間して設けられている。引戸１０の溝１１内には、戸枠２０に対する引戸１０のスライドをアシストする第１のアシスト装置３０と第２のアシスト装置８０とが収容されて固定されている。
【００１６】
図１に示される引戸１０の上端部は、溝１１の内側が示されるように、切り欠かかれた状態が示されている。具体的には、図１に示される引戸１０の上端部は、図２に示されるＦ２１−Ｆ２１線に沿って切断した状態が示されている。図１に示すように、第１，２のアシスト装置３０，８０は、溝１１内に収容される。第１，２のアシスト装置３０，８０は、溝１１内に、溝１１に沿って並んで配置されている。
【００１７】
第１，２のアシスト装置３０，８０の説明の前に、戸枠２０に対する引戸１０の状態を説明する。図１に示すように、引戸１０が、左枠２２と右枠２３とのいずれにも当接していない状態を、第１の状態Ｓ１とする。図１中、第１の状態Ｓ１にある引戸１０を実線で示している。引戸１０が、左枠２２または右枠２３に接触している状態を第２の状態Ｓ２とする。本実施形態では、引戸１０が左枠２２に接触している状態を第２の状態Ｓ２とする。図１中、第２の状態Ｓ２にある引戸１０を２点鎖線で示している。引戸１０が、第２の状態Ｓ２以外であって、左枠２２または右枠２３に接触している状態を第３の状態Ｓ３とする。本実施形態では、第３の状態Ｓ３は、引戸１０が右枠２３に接触している状態である。図中、第３の状態Ｓ３にある引戸１０を３点鎖線で示している。
【００１８】
第１，２のアシスト装置３０，８０の説明に戻る。第１のアシスト装置３０は、図１中、左側に配置されている。第１のアシスト装置３０は、ラッチ３１と、付勢機構３２と、制動機構３３と、第１のハウジング３４とを備えている。第１のハウジング３４は、箱形状であり、ラッチ３１と、付勢機構３２と、制動機構３３とを内側に収容している。図１に示される第１のアシスト装置３０は、第１のハウジング３４が示されており、収容されるラッチ３１と、付勢機構３２と、制動機構３３とは、点線で示されている。
【００１９】
図３は、第１のアシスト装置３０と、第１のアシスト装置３０側に配置されるストライカ２５とを示す側面図である。図３では、戸枠２０と引戸１０とは、省略されている。また、図３では、第１のハウジング３４は、一部省略されて２点鎖線で示されるとともに、残りの部分は、幅方向Ｗの中間位置を通り水平方向Ｈに沿って切断した状態を示している。幅方向Ｗは、上下方向Ｖと水平方向Ｈとに対して垂直な方向である。
【００２０】
本実施形態では、第１，２のアシスト装置３０，８０を説明する際に用いる方向は、第１，２のアシスト装置３０，８０が、戸枠２０に組みつけられた引戸１０に固定された状態に基づく方向である。
【００２１】
図１〜３に示すように、第１のハウジング３４は、水平方向Ｈに沿って延びる一対の側壁３８を備える箱型であり、上端が開口している。第１のハウジング３４内には、仕切板３５が設けられている。仕切板３５は、一方の側壁３８から他方の側壁３８に向って延びるとともに、水平方向Ｈに延びている。仕切板３５は、第１のハウジング３４内を、上側の上部室３６と下側の下部室３７とに仕切っている。上部室３６には、ラッチベース４３が収容されている。
【００２２】
第１のハウジング３４の両側壁３８の水平方向一端部にはスリット４０が形成されている。スリット４０は、側壁３８を貫通している。スリット４０は、水平方向Ｈに沿って待機位置と引込位置に至って延びる主ガイド路４０ａと、主ガイド路４０ａより一端側の待機位置において下方に湾曲して延びる待機路４０ｂとを備えている。主ガイド路４０ａと、待機路４０ｂとは、連続している。
【００２３】
第１のハウジング３４の下部室３７において他端部には、引張コイルばね４１の端部を第１のハウジング３４に対して固定するための連結部４２が形成されている。連結部４２は両側壁３８に掛け渡された軸状部材であり、この連結部４２に引張コイルばね４１が取り付けられる。
【００２４】
ラッチ３１は、第１のハウジング３４内の上部室３６に、水平方向Ｈに沿って移動可能に支持されている。ラッチ３１は、ラッチベース４３と、ラッチベース４３の先端部に、幅方向Ｗ回りに回動可能に連結した回動部４４とを備えている。
【００２５】
ラッチベース４３は、幅方向外側に突出して、水平方向Ｈに延びる突起４３ａを備える。突起４３ａは、ラッチ３１が水平方向Ｈに移動可能にスリット４０内に収容されてスリット４０に係合する。突起４３ａがスリット４０に係合することによって、第１のハウジング３４の上部室３６を形成する一対の側壁３８の間にラッチベース４３が水平方向Ｈにスライド可能に保持される。
【００２６】
ラッチベース４３の先端部には水平方向Ｈに沿う長孔４３ｂが形成されている。回動部４４は、長孔４３ｂに水平方向Ｈに移動可能に係合している。ラッチベース４３の前端部には、ラッチ３１の移動によりストライカ２５に当接して引込方向に押圧される被押圧部４５が設けられている。
【００２７】
被押圧部４５は、コイルばね４６を介してラッチベース４３内に、水平方向Ｈに沿ってスライド可能に取り付けられている。被押圧部４５は、コイルばね４６によって、水平方向Ｈに沿ってラッチベース４３の内側に向って引っ張られている。被押圧部４５の下端部には回動部４４が、幅方向Ｗ回りに回転可能に軸支され連結されている。
【００２８】
回動部４４は、幅方向Ｗに沿う軸心を有するとともに幅方向Ｗに突出する軸部４４ｂを備えている。軸部４４ｂは、スリット４０及び長孔４３ｂに挿通され回転可能かつスリット４０内を移動可能に係合している。
【００２９】
回動部４４は、軸部４４ｂを中心に第１の回動方向Ｒ１と、第１の回動方向Ｒ１に対して逆の方向である第２の回動方向Ｒ２に回動可能である。回動部４４の先端にはキャッチャ４４aと、係合部４４ｄとが設けられている。回動部４４の下方には被付勢部４４ｃが設けられている。
【００３０】
キャッチャ４４aは、回動部４４の先端側に設けられ、第１の回動方向Ｒ１に沿って突出するかぎ形状である。キャッチャ４４aは、第１の回動方向Ｒ１に沿って回動することにより、ストライカ２５の係合部２５ａを捕捉する。このことにより、ラッチ３１に係合可能である。具体的には、キャッチャ４４aは、第１の回動方向Ｒ１に沿って回動した際に、コイルばね４７の引っ張り力により引き込み方向に付勢され、ラッチベース４３との間に係合部２５ａを挟持することでストライカ２５を捕捉する。また、回動部４４は、第２の回動方向Ｒ２に沿う回動により係合を解除してストライカ２５を解放する。
【００３１】
キャッチャ４４aの幅方向両側部には、それぞれ係合部４４ｄが形成されている。係合部４４ｄは、幅方向Ｗに突出しており、スリット４０内に移動可能に収容されている。係合部４４ｄは、待機路４０ｂの下端の形状に沿う所定形状の角柱状であり、待機路４０ｂに係合して保持される。
【００３２】
被付勢部４４ｃは、回動部４４の下部に設けられ、係合部４４ｄよりも後方に位置している。被付勢部４４ｃは、第１のハウジング３４の下部室３７内に配置され、引張コイルばね４１の一端が連結されている。引張りコイルばね４１により、被付勢部４４ｃが常時引込方向に引張られる。
【００３３】
付勢機構３２は、引張コイルばね４１で構成されている。引張コイルばね４１は、第１のハウジング３４の下部室３７において、軸方向が水平方向Ｈに沿うように配置されている。引張コイルばね４１の一端は、ラッチ３１の下部の被付勢部４４ｃに連結され、他端は第１のハウジング３４の連結部４２に連結されている。引張コイルばね４１は、待機状態にあるラッチ３１を引込方向に付勢することで待機路４０ｂに引っ掛けて保持させる機能と、主ガイド路４０ａにあるラッチ３１を引込方向に付勢して強制移動させる機能と、ラッチ３１を第２の回動方向Ｒ２に付勢する機能とを備えている。
【００３４】
制動機構３３は、第１のハウジング３４の上部室３６内に設けられたピストンダンパ５０を有して構成される。ピストンダンパ５０は、内部に流体が封入されたシリンダ５１と、シリンダ５１内で水平方向Ｈに沿って往復動するピストンと、このピストンに連結されたピストンロッド５２とを備えている。ピストンロッド５２の端部は、第１のハウジング３４に固定され、ピストンに対向するシリンダ５１の外側端部がラッチ３１の後端に固定されている。
【００３５】
制動機構３３は、シリンダ５１内に納められたピストンに対してシリンダ５１内の流体の流体対向を作用させることで、シリンダ５１もしくはピストンロッド５２の押し込み及び引張り動作に対して抵抗力を付与してラッチ３１の第１のハウジング３４に対するスライド動作を制動する。なお、シリンダ５１に封入される流体としては典型的にはシリコンオイルなどの粘性流体が用いられるがこれに限られず、気体を用いてもよい。
【００３６】
次に、第１のアシスト装置３０の動作を説明する。図１に示すように、引戸１０がストライカ２５に到達していない第１の状態Ｓ１では、ラッチ３１は、第１のハウジング３４の端部の待機位置に保持されている。ラッチ３１は、係合部４４ｄが待機路４０ｂに引っかかり、引張コイルばね４１によって引っ張られることで保持され、第１のハウジング３４の待機位置に保持されている。
【００３７】
操作者が、引戸１０を、第１の状態Ｓ１から第２の状態Ｓ２にするべく引戸１０を移動させると、被押圧部４５がストライカ２５に当接する。すると、ストライカ２５が被押圧部４５を押し込むことにより、軸部４４ｂを中心としてキャッチャ４４aが第１の回動方向Ｒ１に回動する。この回動によって回動部４４のキャッチャ４４aがストライカ２５に係合し、それゆえ、ストライカ２５ラッチ３１に捕捉される。
【００３８】
回動部４４が第１の回動方向Ｒ１に回動すると、下方の係合部４４ｄが上方に移動して主ガイド路４０ａに入り込む位置にいたり、それゆえ、係合部４４ｄの待機路４０ｂ内での保持が解除される。このことにより、ラッチ３１が、主ガイド路４０ａに沿って移動可能な状態となる。
【００３９】
そして、引張コイルばね４１の復元力により、ラッチ３１は、第１のハウジング３４及び引戸１０に対して右方に相対移動して引込位置まで相対移動させられる。この移動に伴い戸枠２０及びストライカ２５に対して、引戸１０及び第１のハウジング３４が、左側に相対的に強制移動させられる。このとき制動機構３３により抵抗力が付与され、緩衝しながらゆっくり自動的に引戸１０が閉まる方向に移動するようになる。
【００４０】
次に、第２の状態Ｓ２から第１の状態Ｓ１とするべく引戸１０を移動する際の動作について説明する。引戸１０を第２の状態Ｓ２から第１の状態Ｓ１にするべく移動させると、引張コイルばね４１の付勢力に抗してラッチ３１がストライカ２５を捕捉したまま引戸１０及び第１のハウジング３４に対して左側に相対移動しながら、引戸１０が右側に移動する。ラッチ３１はピストンダンパ５０のピストンロッド５２に連結されているため、ピストンを移動させつつシリンダ５１内の流体の抵抗力を受ける。
【００４１】
所定位置に至ると、被押圧部４５からストライカ２５が離れる。そして、キャッチャ４４aは、引張りコイルばね４１の復元力により軸部４４ｂを中心として第２の回動方向Ｒ２方向に回動する。この回動により、キャッチャ４４aのストライカ２５との係合が解除される。同時に係合部４４ｄが主ガイド路４０ａの前端の待機位置にいたり、係合部４４ｄが下方の待機路４０ｂに入り込むとともに、引張りコイルばね４１により再び待機位置に保持される。この後の引戸１０の移動は引張コイルばね４１の付勢力から開放される。
【００４２】
次に、第１のハウジング３４の溝１１内への固定構造について説明する。図１に示すように、第１のハウジング３４は、一端部３４ａと、他端部３４ｂとが、引戸１０の溝１１に固定されている。具体的には、第１のハウジング３４の一端部３４ａが、溝１１の水平方向Ｈに沿う開口端のうち一方の端部にねじ６０によって固定される。第１のハウジング３４の一端部３４ａには、上下方向Ｖにねじ６０が貫通する貫通孔６２が形成されている。溝１１の底壁部１３には、上下方向Ｖに延びるねじ穴６３が形成されている。ねじ穴６３の内面には、雌ねじが形成されている。ねじ６０が上方から貫通孔６２を通った後に溝１１のねじ穴６３に螺合することによって、第１のハウジング３４の一端部３４ａは、溝１１に固定される。
【００４３】
第１のハウジング３４の他端部３４ｂは、後述されるブラケット７０を介して、引戸１０に固定される。ブラケット７０を用いる固定構造については、後で具体的に説明する。
【００４４】
次に、第２のアシスト装置８０について説明する。第２のアシスト装置８０は、溝１１内において第１のアシスト装置３０に対して右側に位置している。第２のアシスト装置８０は、第１のハウジング３４に代えて第２のハウジング８１を備えるとともに、戸車８２を備える点が、第１のアシスト装置３０と異なる。第２のアシスト装置８０は、第２のハウジング８１と戸車８２以外の構造は、第１のアシスト装置３０と同様である。
【００４５】
第２のアシスト装置８０は、引戸１０が第１の状態Ｓ１から第２の状態Ｓ２へ変化する際の第１のアシスト装置３０のアシストと同様に、引戸１０が第１の状態Ｓ１から第３の状態Ｓ３になる際のアシストを行う。なお、第２のアシスト装置８０については、第２のハウジング８１と、戸車８２とについて説明する。第２のアシスト装置８０の他の構造は、第１のアシスト装置３０と同様であるので、同一の符号を付して説明を省略する。
【００４６】
図１に示すように、戸車８２の車輪８３は、第１のハウジング３４から上側に出ている。車輪８３は、幅方向Ｗに沿う回転軸によって支持されており、幅方向Ｗ回りに回動自由である。
【００４７】
図１中に２点鎖線で示す範囲Ｆ１１内に、図１中に示すＦ１２−Ｆ１２線に沿って切断された上枠２１とその近傍とを示している。範囲Ｆ１１内に示される断面図は、上枠２１を、水平方向Ｈに垂直な方向に沿って切断した状態を示している。範囲Ｆ１１内に示される断面図に示すように、上枠２１に形成される引戸溝２４は、第１の溝部２４ａと、第２の溝部２４ｂとを備えている。
【００４８】
第１の溝部２４ａは、上枠２１の下端面に開口するとともに上側に向って凹んでいる。引戸１０が戸枠２０に組み付けられた状態では、引戸１０の上端部は、第１の溝部２４ａ内に収容される。第１の溝部２４ａは、引戸１０がスライドする際のガイドとして機能する。
【００４９】
第２の溝部２４ｂは、第１の溝部２４ａの底部に形成されている。第２の溝部２４ｂは、第１の溝部２４ａに向って開口するとともに上側に向って凹む形状である。第２の溝部２４ｂは、戸車８２の車輪８３の一部が収容されるとともに引戸１０のスライドに伴う車輪８３の移動をガイドできる大きさを有している。車輪８３が回転することによって、引戸１０の戸枠２０に対するスライドがスムーズになる。
【００５０】
第２のハウジング８１は、溝１１に固定されている。具体的には、第２のハウジング８１の一端部８１ａは、溝１１において第１のハウジング３４の一端部３４ａが固定される開口端部に対して反対側の開口端部にねじ８４を介して固定される。第２のハウジング８１の他端部８１ｂは、ブラケット７０を介して溝１１に固定される。ブラケット７０を介した固定構造は、後で具体的に説明する。
【００５１】
第２のハウジング８１の一端部８１ａには、水平方向Ｈにねじ８４が貫通する貫通孔８５が形成されている。溝１１には、水平方向Ｈにねじ８４が螺合するねじ穴８６が形成されている。ねじ穴８６の内面には、雌ねじが形成されている。
【００５２】
ねじ８４が第２のハウジング８１の貫通孔８５を通ってねじ穴８６に螺合することによって、第２のハウジング８１の一端部８１ａは、溝１１に固定される。
【００５３】
次に、ブラケット７０を用いた、第１，２のハウジング３４，８１の溝１１に対する固定構造を説明する。図２は、第１，２のハウジング３４，８１と、ブラケット７０とを示す斜視図である。なお、図２中、第１，２のハウジング３４，８１内に収容される付勢機構３２と制動機構３３などは、省略されている。また、第１，２のハウジング３４，８１は、それぞれ、水平方向Ｈに沿う一部が省略されて示されるとともに、２点鎖線で外郭のみ示している。
【００５４】
第１，２のハウジング３４，８１の他端部３４ｂ，８１ｂの下部には、挿入部９０が形成されている。挿入部９０は、他端から水平方向Ｈに沿って突出している。ブラケット７０は、断面形状がＣ字形状であり、底壁部７１と、一対の側壁部７２と、折り返し部７３とを備えている。底壁部７１は、平面形状が四角形である。一方の側壁部７２は、底壁部７１の４つの縁のうちの１つから立ち上がっている。他方の側壁部７２は、底壁部７１の残りの３つの縁のうち、一方の側壁部７２と対向する縁から立ち上がっている。
【００５５】
ブラケット７０は、溝１１の底壁部１３にねじ７４によって固定される。底壁部７１の下面は、底壁部１３の底面に面接触する。本実施形態では、底壁部７１の下面は、平面であるので、底壁部１３の底面は、平面である。
【００５６】
底壁部７１の中央には、ねじ７４が通る貫通孔７５（図５に示す）が形成されている。溝１１の底壁部１３の中央部には、ねじ７４が螺合するねじ穴１６が形成されている。ねじ７４が貫通孔７５を通ってねじ穴１６に螺合することによって、ブラケット７０が溝１１に固定される。
【００５７】
両側壁部７２は、直線状に延びており、ブラケット７０が溝１１内に固定されたときに、水平方向Ｈに平行になる。折り返し部７３は、両側壁部７２の上端に形成されており、互いに他方の側壁部７２に向って延びている。言い換えると、折り返し部７３が延びる方向は、底壁部７１に対して立ち上がる側壁部７２の立ち上がり方向に対して傾斜している。
【００５８】
両折り返し部７３の縁７３ａは、直線である。ブラケット７０が溝１１に固定された状態では、折り返し部７３の縁７３ａは、水平方向Ｈに平行になる。一方の折り返し部７３と他方の折り返し部７３との間には、溝Ｃ１が形成されている。溝Ｃ１は、幅方向Ｗに所定の幅を有している。
【００５９】
上記のように構成されるブラケット７０は、底壁部７１と両側壁部７２と折り返し部７３とによって、筒形状に形成される。このため、ブラケット７０は、両端に開口７８が形成される。開口７８は、ブラケット７０の内側と外側とを連通する。折り返し部７３の両端部には、傾斜部７６が形成されている。傾斜部７６は、幅方向Ｗに沿う幅が、端に向うにつれて狭まるように形成されている。
【００６０】
ブラケット７０の内側には、底壁部７１と両側壁部７２と折り返し部７３とによって囲まれる保持部７７が設けられる。ブラケット７０が溝１１に固定された状態では、保持部７７の両端開口７８が並ぶ方向は、水平方向Ｈに平行になる。
【００６１】
図４は、図１に示す範囲Ｆ４を拡大して示す拡大図である。図４は、ブラケット７０によって、第１，２のハウジング３４，８１の他端部３４ｂ，８１ｂが溝１１に固定されている状態を示している。図４に示すように、第１のハウジング３４の挿入部９０は、第１のハウジング３４の一端部３４ａがねじ８１によって底壁部１３に固定された状態において、ブラケット７０の保持部７７内に収容される。第２のハウジング８１の挿入部９０は、第２のハウジング８１の一端部８１ａがねじ８４によって底壁部１３に固定された状態において、ブラケット７０の保持部７７内に収容される。
【００６２】
図５は、挿入部９０とブラケット７０とを拡大して示す斜視図である。なお、第１のハウジング３４において挿入部９０とその近傍以外の部分は、省略している。近傍は、２点鎖線で示している。図５に示すように、挿入部９０は、本体部９１と、突部９２とを備えている。
【００６３】
本体部９１の先端部の下部には、傾斜部９３が形成されている。傾斜部９３は、本体部９１の先端から水平方向Ｈに沿って奥に進むにつれて先端から離れるように、上下方向Ｖに対して傾斜している。突部９２は、本体部９１の上面９１aの幅方向Ｗに沿う中央の位置から上方に突出している。本体部９１の上面９１aは、上下方向Ｖに垂直な平面である。挿入部９０は、ブラケット７０の一方の開口７８を通って保持部７７内に挿入される。このとき、突部９２は、ブラケット７０の溝Ｃ１内を通る。
【００６４】
ここで、ブラケット７０の保持部７７の幅方向Ｗに沿う幅Ｌ１と、本体部９１の幅方向Ｗに沿う幅Ｌ２と、突部９２の幅方向Ｗに沿う幅Ｌ３とについて説明する。図６は、図４に示すＦ６−Ｆ６線に沿って示すブラケット７０とその近傍を示す断面図である。図６は、挿入部９０がブラケット７０の保持部７７内に収容された状態を、水平方向Ｈに垂直な方向に沿って切断した状態を示している。
【００６５】
図６に示すように、保持部７７の幅Ｌ１と、本体部９１の幅Ｌ２と、突部９２ｂの幅Ｌ３と、溝Ｃ１の幅方向Ｗに沿う幅Ｌ４とは、水平方向Ｈに一定である。また、保持部７７の幅Ｌ１と本体部９１の幅Ｌ２とは、同じである。または、挿入部９０を保持部７７内に挿入することを考慮して、幅Ｌ１は、幅Ｌ２よりも若干大きい。
【００６６】
突部９２の幅Ｌ３と、溝Ｃ１の幅Ｌ４とは、同じである。または、突部９２を溝Ｃ１内に挿入することを考慮して、幅Ｌ４は、幅Ｌ３よりも若干大きい。本体部９１の上面９１aの水平方向Ｈに沿う縁から突部９２までの幅方向Ｗに沿う幅Ｌ５は、水平方向Ｈに一定であるとともに、突部９２を挟んだ両側において同じである。挿入部９０が保持部７７内に挿入されると、折り返し部７３は、上下方向Ｖに本体部９１の上面９１ａに重なる。このことによって、挿入部９０が開口７８以外を通して保持部７７から外れることを防止する。
【００６７】
挿入部９０とブラケット７０とが上記構成を有することによって、挿入部９０は、ブラケット７０の保持部７７内に嵌合する。第２のハウジング８１に形成される挿入部９０は、第１のハウジング３４に形成される挿入部９０と同じ形状かつ同じ大きさであるので、同じ符号を付して説明を省略する。
【００６８】
ブラケット７０がねじ７４によって溝１１に固定された状態では、ブラケット７０の底壁部７１の上面７１ａと、溝１１の底壁部１３との間には、底壁部７１の厚み分の高低差が生じる。このため、第１のハウジング３４の底面から挿入部９０までの間には、ブラケット７０の底壁部７１の厚みと同じ隙間Ｃ２が形成される。このことによって、第１，２のハウジング３４，８１の最下端が溝１１の底壁部１３に当接した状態を保ちつつ、挿入部９０がブラケット７０の保持部７７内に嵌合する。
【００６９】
また、第１，２のハウジング３４，８１の他端部３４ｂ，８１ｂの最下端と挿入部９０との間に隙間Ｃ２が形成されることによって、挿入部９０と他端部３４ｂ，８１ｂにおいて挿入部９０以外の部位との境となる部分が設けられる。この境となる部分は、挿入部９０をブラケット７０の保持部７７内に挿入する際にブラケット７０の底壁部７１に当接するストッパ７９になる。
【００７０】
本実施形態では、図４に示すように、第１のハウジング３４の一端部３４ａがねじ８１で溝１１の底壁部１３に固定され、第２のハウジング８１の一端部８１ａがねじ８１で溝１１の底壁部１３に固定された状態において、第１，２のハウジング３４、８１の他端部３４ｂ，８１ｂにおいて挿入部９０よりも上側の部分が、互いに係合する。
【００７１】
具体的には、図２，４に示すように、第１のハウジング３４の他端部３４ｂの上側部分は、下側に進むにつれて水平方向Ｈに沿って突出する形状であり、その表面が、円弧形状である。第２のハウジング８１の他端部８１ｂは、第１のハウジング３４の他端部３４ｂの上側部分にそう形状であり、図１に示すように、第１のハウジング３４の他端部３４ｂの上側部分に嵌る形状である。
【００７２】
このように、第１，２のハウジング３４，８１の他端部３４ｂ，８１ｂは、互いに嵌る形状を有するために、第１のハウジング３４の他端部３４ｂの挿入部９０よりも上側の部分は、第２のハウジング８１に向って突出し、第２のハウジング８１の他端部８１ｂの挿入部９０よりも上側の部分は、第１のハウジング３４に向って突出する形状である。
【００７３】
また、第１のハウジング３４の他端部３４ｂにおいて挿入部９０よりも上側の部分は、挿入部９０よりも第２のハウジング８１側に突出している。第２のハウジング８１の他端部８１ｂにおいて挿入部９０よりも上側の部分は、挿入部９０よりも第１のハウジング３４側に突出している。
【００７４】
次に、第１，２のアシスト装置３０，８０の引戸１０への固定作業の一例を説明する。図７〜９は、第１，２のアシスト装置３０，８０の固定作業の一例を示している。まず、図７に示すように、ブラケット７０を、ねじ７４によって溝１１の底壁部１３に固定する。
【００７５】
次に、第１，２のアシスト装置３０，８０のいずれか一方を先にブラケット７０に固定する。一例として、図８に示すように、第１のアシスト装置３０を固定するため、第１のアシスト装置３０を、溝１１内に、水平方向Ｈの一端の開口から挿入する。第１のアシスト装置３０を挿入することによって、挿入部９０がブラケット７０の保持部７７内に、そのまま収容される。第１のアシスト装置３０をさらに挿入すると、第１のハウジング３４の他端部３４ｂに形成されるストッパ７９がブラケット７０の底壁部７１に当接する。ストッパ７９が底壁部７１に当接すると、挿入作業を停止する。
【００７６】
本実施形態では、第１のハウジング３４の貫通孔６２と溝１１のねじ穴６３とは、ストッパ７９が底壁部７１に当接したときに、互いに対向するように形成されている。ストッパ７９がブラケット７０の底壁部７１に当接すると、ねじ７４を貫通孔６２を通してねじ穴６３に螺合する。このことによって、第１のアシスト装置３０が溝１１に固定される。
【００７７】
次に、図９に示すように、第２のアシスト装置８０を、溝１１の水平方向Ｈに沿う他端の開口から、溝１１内に挿入する。第２のアシスト装置８０を挿入することによって、挿入部９０がブラケット７０の保持部７７内に、そのまま収容される。第２のアシスト装置８０をさらに挿入すると、第２のハウジング８１の他端部８１ｂに形成されるストッパ７９がブラケット７０の底壁部７１に当接する。
【００７８】
本実施形態では、第２のハウジング８１の貫通孔８５と溝１１のねじ穴８６とは、ストッパ７９が底壁部７１に当接したときに、互いに対向するように形成されている。ストッパ７９が底壁部７１に当接すると、ねじ８４を貫通孔８５を通してねじ穴８６に螺合する。このことによって、第２のアシスト装置８０が溝１１に固定される。
【００７９】
このように、本実施形態では、第１のハウジング３４の一端部３４ａを溝１１に固定するねじ６０と、第２のハウジング８１の一端部８１ａを溝に固定するねじ８４と、第１，２のハウジング３４，８１の他端部３４ｂ，８１ｂを溝１１に固定するブラケット７０と、ブラケット７０を溝１１に固定するねじ７４とは、第１，２のアシスト装置３０，８０を溝１１に固定する固定構造１００を構成している。固定構造１００は、本発明で言う固定構造の一例である。
【００８０】
このように構成される固定構造１００では、第１のハウジング３４の挿入部９０がブラケット７０に挿入されることによって溝１１に固定される。このため、第１のハウジング３４の他端部３４ｂを溝１１内に固定するためのねじなどの固定手段を通すスペースを確保する必要がないので、第１のハウジング３４が大型化することを抑制できる。
【００８１】
さらに、第１のハウジング３４の一端部３４ａがねじ６０によって溝１１に固定される。この固定は、ブラケット７０から挿入部９０が水平方向Ｈにスライドすることを抑制する。このため、保持部７７内から挿入部９０が外れることを防止するために、保持部７７内に挿入部９０を挿入した後に別途にカバーなどをブラケット７０に対して設ける必要がない。このため、部品点数を削減することができるとともに、カバーの取付作業も不要になるので、第１のアシスト装置３０の溝１１への固定作業の作業効率を向上することができる。
【００８２】
上記については、第２のアシスト装置８０の溝１１に対する固定に対しても同様である。このように、本実施形態では、第１，２のアシスト装置３０，８０が大型化することを抑制するとともに、第１，２のアシスト装置３０，８０の溝１１への固定作業の効率を向上することができる。
【００８３】
また、ブラケット７０を溝１１に固定した状態において、保持部７７の開口７８は、水平方向Ｈに開口する。このため、ブラケット７０を固定した後に、第１，２のアシスト装置３０，８０を溝１１に沿って挿入すると、挿入部９０が開口７８内に挿入されるので、第１，２のアシスト装置３０，８０の溝１１への固定作業をより一層簡単にすることができる。
【００８４】
また、第１，２のハウジング３４，８１の挿入部９０に突部９２が形成され、ブラケット７０に突部９２が嵌合する溝Ｃ１が形成されることにより、挿入部９０をブラケット７０の保持部７７内に挿入する際に、突部９２が溝Ｃ１を形成する折り返し部７３の縁に当接することによって、第１，２のハウジング３４，８１の挿入がガイドされる。
【００８５】
また、突部９２は、挿入部９０の保持部７７内への挿入方向に交差する方向に折り返し部７３の縁に当接することにより、挿入部９０が保持部７７内において挿入方向以外の方向に移動することが抑制されるので、保持部７７内で挿入部９０がずれたりすることが抑制される。このため、ブラケット７０による挿入部９０の保持を強固にすることができる。
【００８６】
また、折り返し部７３の水平方向Ｈの両端部に傾斜部７６が形成されることによって、突部９２を溝Ｃ１内に導きやすくなる。
【００８７】
また、ブラケット７０が、底壁部７１と、側壁部７２と、折り返し部７３とを備えるとともに、両折り返し部７３間に溝Ｃ１が形成される構造であることによって、例えば、板部材を材料にすることによって当該板部材を折り曲げることによりブラケット７０を簡単に形成することができる。
【００８８】
また、ブラケット７０が溝Ｃ１を備えることによって、当該溝Ｃ１を通してねじ７４にアクセスすることができるので、ブラケット７０の引戸１０への固定作業を容易に行うことができる。
【００８９】
また、ブラケット７０は、溝Ｃ１を備える構造であっても、折り返し部７３を備えることによって、挿入部９０が溝Ｃ１を通ってブラケット７０から外れることを防止することができる。
【００９０】
ブラケット７０の溝Ｃ１と、挿入部９０の突部９２とが、挿入部９０の保持部７７内への挿入方向に延びていることによって、挿入部９０と保持部７７との係合と、突部９２と溝Ｃ１との係合とを同時に行うことができるので、第１，２のアシスト装置３０，８０の溝１１への固定作業の効率をより一層向上することができる。
【００９１】
また、ブラケット７０は、両端に開口７８が形成されることによって、第１，２のアシスト装置３０，８０の挿入部９０を保持することができる。つまり、１つのブラケット７０を共有することができるので、固定構造１００を簡素にすることができる。
【００９２】
また、第１，２のアシスト装置３０，８０は、その両端部が、ねじまたはブラケット７０によって固定されることによって、水平方向Ｈに長い第１，２のアシスト装置３０，８０を安定して固定することができる。
【００９３】
また、ブラケット７０を溝１１の底壁部１３に固定する固定手段の一例としてねじ７８を用いることによって、ブラケット７０を簡単に溝１１に固定することができる。
【００９４】
また、第１，２のハウジング３４，８１の一端部３４ａ，８１ａを溝１１の底壁部１３に固定する固定手段の一例としてねじ６０，８４を用いることによって、一端部３４ａ，８１ａを簡単に底壁部１３に固定することができる。
【００９５】
なお、本実施形態では、固定構造１００は、第１，２のアシスト装置３０，８０を溝１１に固定している。例えば、溝１１内に１つのアシスト装置が収容される場合では、ブラケット７０は、この１つのアシスト装置の端を溝１１に固定してもよい。
【００９６】
本実施形態では、溝Ｃ１は、本発明で言う溝の一例である。引戸１０は、本発明で言う支持物の一例である。ねじ７４は、本発明で言う第１の固定手段の一例である。第１のアシスト装置３０は、本発明で言う被固定物の一例である。ねじ６０は、本発明で言う第２の固定手段の一例である。ブラケット７０は、本発明で言う保持部材の一例である。開口７８は、本発明で言う挿入口の一例である。第２のアシスト装置８０は、本発明で言う被固定物の一例である。ねじ８４は、本発明で言う第２の固定手段の一例である。折り返し部７３は、本発明で言う当接部の一例である。底壁部７１と、側壁部７２と、折り返し部７３とは、本発明で言う周壁部の一例を構成している。突部９２は、本発明で言う突部の一例である。保持部７７は、本発明でいう保持部の一例である。
【００９７】
また、本実施形態では、ブラケット７０に、本発明の溝の一例である溝Ｃ１が形成され、挿入部９０に本発明の突部の一例である突部９２が形成されている。他の例では、突部９２は、複数形成され、同様に、溝Ｃ１が複数形成されてもよい。または、突部９２のような突部がブラケット７０に形成され、この突部が収容されるまたは嵌合する溝Ｃ１のような溝が挿入部９０に形成されてもよい。または、ブラケット７０に溝Ｃ１に加えて、突部９２のような突部が形成され、挿入部９０に、突部９２に加えて、ブラケット７０に形成された突部が収容または嵌合する溝が形成されてもよい。
【００９８】
また、本実施形態では、支持部の一例である引戸１０に、被固定物の一例である第１，２のアシスト装置３０，８０を固定する。支持部は、引戸１０以外であってもよく、被固定物は、第１，２のアシスト装置３０，８０以外であってもよい。なお、本実施形態のように、一方向に長い溝１１を有する引戸１０に、一方向に長い第１，２のアシスト装置３０，８０を固定する構造に、本発明の固定構造は、特に好ましい。
【００９９】
なお、本発明で言う筒形状とは、第１の実施形態で用いたブラケット７０のように、底壁部７１と、底壁部７１から立ち上がる一対の側壁部７２と、折り返し部７３と、溝Ｃ１とを備えて、周方向に連続しておらず、かつ、端面形状が矩形であるような形状も含む概念である。
【０１００】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。さらに、異なる実施形態の構成を組み合わせてもよい。
【符号の説明】
【０１０１】
１０…引戸（支持物）、１１…溝、２０…戸枠、３０…第１のアシスト装置（被固定物）、６０…ねじ（第２の固定手段）、７０…ブラケット、７１…底壁部７１（周壁部）、７２…側壁部（周壁部）、７３…折り返し部（周壁部、当接部）、７４…ねじ（第１の固定手段）、７７…保持部、７８…開口（挿入口）、８０…第２のアシスト装置（被固定物）、８４…ねじ（第２の固定手段）、９２…突部、Ｃ１…溝。
【図１】
2013249642.tif 000003
【図２】
2013249642.tif 000004
【図３】
2013249642.tif 000005
【図４】
2013249642.tif 000006
【図５】
2013249642.tif 000007
【図６】
2013249642.tif 000008
【図７】
2013249642.tif 000009
【図８】
2013249642.tif 000010
【図９】
2013249642.tif 000011